(57)【特許請求の範囲】
【請求項１】
通信端末と、
エレベーターの乗場に設けられた第１通信装置と、
前記乗場に停止するエレベーターのかごと、
前記かごに設けられた第２通信装置と、
制御装置と、
を備え、
前記通信端末は、
第１表示器と、
前記第１表示器に第１画像を表示させる第１表示制御部と、
無線通信するための通信部と、
を備え、
前記第１表示制御部は、前記かごが前記乗場に停止する際に前記第１表示器から前記第１画像を消し、
前記かごは第２表示器を備え、
前記制御装置は、
前記第１通信装置が前記通信部から目的階を示す信号を受信すると、前記かごを前記乗場に停止させた後に前記かごを前記目的階に停止させる動作制御部と、
前記第２通信装置が前記通信部から乗車信号を受信すると、前記第２表示器に前記第１画像を表示させる第２表示制御部と、
を備え、
前記第２表示制御部は、前記かごが前記目的階に停止する際に前記第２表示器から前記第１画像を消し、
前記第１表示制御部は、前記かごが前記目的階に停止する際に前記第１表示器に前記第１画像を表示させる表示システム。
【請求項２】
前記第２表示制御部は、前記かごに１人しか乗っていない場合のみ、前記第２表示器に前記第１画像を表示させる請求項１に記載の表示システム。
【請求項３】
前記第２表示制御部は、前記かごに複数人が乗っている場合は、前記第１画像とは異なる第２画像を前記第２表示器に表示させる請求項２に記載の表示システム。
【請求項４】
前記第２表示制御部は、前記かごが前記乗場を出発してから前記目的階に停止する前に乗場呼びに応答する場合は、前記かごが前記乗場呼びに応答する際に前記第２表示器から前記第１画像を消す請求項１に記載の表示システム。
【請求項５】
前記第２表示制御部は、前記かごが前記乗場呼びに応答する際に、前記第１画像とは異なる第２画像を前記第２表示器に表示させる請求項４に記載の表示システム。
【請求項６】
前記制御装置は通信制御部を更に備え、
前記通信制御部は、前記かごが前記乗場に停止する際に前記第１通信装置から第１到着信号を送信させ、
前記第１表示制御部は、前記通信部が前記第１通信装置から前記第１到着信号を受信すると、前記第１表示器から前記第１画像を消し、
前記通信制御部は、前記かごが前記目的階に停止する際に前記第２通信装置から第２到着信号を送信させ、
前記第１表示制御部は、前記通信部が前記第２通信装置から前記第２到着信号を受信すると、前記第１表示器に前記第１画像を表示させる請求項１から請求項５の何れか一項に記載の表示システム。
【請求項７】
前記かごは、音声入力装置及び音声出力装置を更に備え、
前記制御装置は、
前記音声入力装置から入力された音声信号に基づいて音声認識処理を行う音声認識部と、
前記音声認識部によって行われた音声認識処理に基づいて、会話が成立するように回答を作成する回答作成部と、
前記回答作成部によって作成された回答を前記音声出力装置から出力させる音声出力制御部と、
を更に備えた請求項１から請求項６の何れか一項に記載の表示システム。
【請求項８】
乗場に設けられた第１通信装置と、
前記乗場に停止するかごと、
前記かごに設けられた第２通信装置と、
制御装置と、
を備え、
前記かごは表示器を備え、
前記制御装置は、
前記第１通信装置が通信端末から目的階を示す信号及び第１画像を示す信号を受信すると、前記かごを前記乗場に停止させた後に前記かごを前記目的階に停止させる動作制御部と、
前記第２通信装置が前記通信端末から乗車信号を受信すると、前記表示器に前記第１画像を表示させる表示制御部と、
前記かごが前記目的階に停止する際に、前記通信端末に前記第１画像を表示させるための信号を前記第２通信装置から送信させる通信制御部と、
を備え、
前記表示制御部は、前記かごが前記目的階に停止する際に前記表示器から前記第１画像を消すエレベーター装置。
【請求項９】
前記表示制御部は、前記かごに１人しか乗っていない場合のみ、前記表示器に前記第１画像を表示させる請求項８に記載のエレベーター装置。
【請求項１０】
前記表示制御部は、前記かごに複数人が乗っている場合は、前記第１画像とは異なる第２画像を前記表示器に表示させる請求項９に記載のエレベーター装置。
【請求項１１】
前記表示制御部は、前記かごが前記乗場を出発してから前記目的階に停止する前に乗場呼びに応答する場合は、前記かごが前記乗場呼びに応答する際に前記表示器から前記第１画像を消す請求項８に記載のエレベーター装置。
【請求項１２】
前記表示制御部は、前記かごが前記乗場呼びに応答する際に、前記第１画像とは異なる第２画像を前記表示器に表示させる請求項１１に記載のエレベーター装置。
【請求項１３】
前記通信制御部は、前記かごが前記乗場に停止する際に、前記通信端末から前記第１画像を消すための信号を前記第１通信装置から送信させる請求項８から請求項１２の何れか一項に記載のエレベーター装置。
【請求項１４】
前記かごは、音声入力装置及び音声出力装置を更に備え、
前記制御装置は、
前記音声入力装置から入力された音声信号に基づいて音声認識処理を行う音声認識部と、
前記音声認識部によって行われた音声認識処理に基づいて、会話が成立するように回答を作成する回答作成部と、
前記回答作成部によって作成された回答を前記音声出力装置から出力させる音声出力制御部と、
を更に備えた請求項８から請求項１３の何れか一項に記載のエレベーター装置。
【請求項１５】
表示器と、
前記表示器に画像を表示させる表示制御部と、
エレベーターの乗場に設けられた第１通信装置及び前記乗場に停止するかごに設けられた第２通信装置と無線通信するための通信部と、
を備え、
前記通信部は、目的階を示す信号及び前記画像を示す信号を前記第１通信装置に送信し、
前記表示制御部は、
前記かごが前記乗場に停止する際に送信された第１到着信号を前記通信部が前記第１通信装置から受信すると、前記表示器から前記画像を消し、
前記かごが前記目的階に停止する際に送信された第２到着信号を前記通信部が前記第２通信装置から受信すると、前記表示器に前記画像を表示させ、
前記通信部は、第１到着信号を受信することによって前記表示器から前記画像が消された後に、前記かごに前記画像を表示させるための信号を前記第２通信装置に送信する通信端末。
【請求項１６】
通信端末と、
エレベーターの乗場に設けられた第１通信装置と、
前記乗場に停止するエレベーターのかごと、
前記かごに設けられた第２通信装置と、
制御装置と、
を備え、
前記通信端末は、
第１表示器と、
前記第１表示器を制御する第１表示制御部と、
無線通信するための通信部と、
を備え、
前記かごは第２表示器を備え、
前記制御装置は、
前記第１通信装置が前記通信部から目的階を示す信号を受信すると、前記かごを前記乗場に停止させた後に前記かごを前記目的階に停止させる動作制御部と、
前記第２通信装置が前記通信部から乗車信号を受信すると、前記第２表示器に画像を表示させる第２表示制御部と、
前記第２表示器に前記画像が表示されている時に前記画像の取得を要求する第１信号を前記第２通信装置が前記通信部から受信すると、前記画像を示す第２信号を前記第２通信装置から送信させる通信制御部と、
を備え、
前記第２表示制御部は、前記第２通信装置が前記第１信号を受信すると、前記第２表示器から前記画像を消し、
前記第１表示制御部は、前記通信部が前記第２通信装置から前記第２信号を受信すると、前記第１表示器に前記画像を表示させる表示システム。
【請求項１７】
乗場に設けられた第１通信装置と、
前記乗場に停止するかごと、
前記かごに設けられた第２通信装置と、
制御装置と、
を備え、
前記かごは表示器を備え、
前記制御装置は、
前記第１通信装置が通信端末から目的階を示す信号を受信すると、前記かごを前記乗場に停止させた後に前記かごを前記目的階に停止させる動作制御部と、
前記第２通信装置が前記通信端末から乗車信号を受信すると、前記表示器に画像を表示させる表示制御部と、
前記表示器に前記画像が表示されている時に前記画像の取得を要求する第１信号を前記第２通信装置が前記通信端末から受信すると、前記通信端末に前記画像を表示させるための第２信号を前記第２通信装置から送信させる通信制御部と、
を備え、
前記表示制御部は、前記第２通信装置が前記第１信号を受信すると、前記表示器から前記画像を消すエレベーター装置。
【発明の詳細な説明】
【技術分野】
【０００１】
この発明は、エレベーターで利用される表示システムに関する。また、この発明は、表示システムで利用されるエレベーター装置及び通信端末に関する。
【背景技術】
【０００２】
特許文献１に、エレベーターシステムが記載されている。特許文献１に記載されたシステムでは、かごに表示器が備えられる。表示器には、利用者の属性に合わせた内容が表示される。
【先行技術文献】
【特許文献】
【０００３】
【特許文献１】日本特開２０１５−８６０１４号公報
【発明の概要】
【発明が解決しようとする課題】
【０００４】
特許文献１に記載されたシステムでは、利用者の属性に合わせて表示器に表示される内容が変わる。しかし、利用者は、自分の好みの画像を表示器に表示させることはできない。例えば、利用者の通信端末に表示される画像をエレベーターのかごに備えられた表示器に表示させることはできなかった。【０００５】
この発明は、上述のような課題を解決するためになされた。この発明の目的は、利用者の通信端末に備えられた表示器とエレベーターのかごに備えられた表示器とに同じ画像を表示させることができる表示システムを提供することである。また、この発明の他の目的は、そのような表示システムで利用されるエレベーター装置及び通信端末を提供することである。
【課題を解決するための手段】
【０００６】
この発明に係る表示システムは、通信端末と、エレベーターの乗場に設けられた第１通信装置と、乗場に停止するエレベーターのかごと、かごに設けられた第２通信装置と、制御装置と、を備える。通信端末は、第１表示器と、第１表示器に第１画像を表示させる第１表示制御部と、無線通信するための通信部と、を備える。第１表示制御部は、かごが乗場に停止する際に第１表示器から第１画像を消す。かごは第２表示器を備える。制御装置は、第１通信装置が通信部から目的階を示す信号を受信すると、かごを乗場に停止させた後にかごを目的階に停止させる動作制御部と、第２通信装置が通信部から乗車信号を受信すると、第２表示器に第１画像を表示させる第２表示制御部と、を備える。第２表示制御部は、かごが目的階に停止する際に第２表示器から第１画像を消す。第１表示制御部は、かごが目的階に停止する際に第１表示器に第１画像を表示させる。【０００７】
この発明に係るエレベーター装置は、乗場に設けられた第１通信装置と、乗場に停止するかごと、かごに設けられた第２通信装置と、制御装置と、を備える。かごは表示器を備える。制御装置は、第１通信装置が通信端末から目的階を示す信号及び第１画像を示す信号を受信すると、かごを乗場に停止させた後にかごを目的階に停止させる動作制御部と、第２通信装置が通信端末から乗車信号を受信すると、表示器に第１画像を表示させる表示制御部と、かごが目的階に停止する際に、通信端末に第１画像を表示させるための信号を第２通信装置から送信させる通信制御部と、を備える。表示制御部は、かごが目的階に停止する際に表示器から第１画像を消す。【０００８】
この発明に係る通信端末は、表示器と、表示器に画像を表示させる表示制御部と、エレベーターの乗場に設けられた第１通信装置及び乗場に停止するかごに設けられた第２通信装置と無線通信するための通信部と、を備える。通信部は、目的階を示す信号及び画像を示す信号を第１通信装置に送信する。表示制御部は、かごが乗場に停止する際に送信された第１到着信号を通信部が第１通信装置から受信すると、表示器から画像を消す。表示制御部は、かごが目的階に停止する際に送信された第２到着信号を通信部が第２通信装置から受信すると、表示器に画像を表示させる。通信部は、第１到着信号を受信することによって表示器から画像が消された後に、かごに画像を表示させるための信号を第２通信装置に送信する。
【０００９】
また、この発明に係る表示システムは、通信端末と、エレベーターの乗場に設けられた第１通信装置と、乗場に停止するエレベーターのかごと、かごに設けられた第２通信装置と、制御装置と、を備える。通信端末は、第１表示器と、第１表示器を制御する第１表示制御部と、無線通信するための通信部と、を備える。かごは第２表示器を備える。制御装置は、第１通信装置が通信部から目的階を示す信号を受信すると、かごを乗場に停止させた後にかごを目的階に停止させる動作制御部と、第２通信装置が通信部から乗車信号を受信すると、第２表示器に画像を表示させる第２表示制御部と、第２表示器に画像が表示されている時に画像の取得を要求する第１信号を第２通信装置が通信部から受信すると、画像を示す第２信号を第２通信装置から送信させる通信制御部と、を備える。第２表示制御部は、第２通信装置が第１信号を受信すると、第２表示器から画像を消す。第１表示制御部は、通信部が第２通信装置から第２信号を受信すると、第１表示器に画像を表示させる。【００１０】
また、この発明に係るエレベーター装置は、乗場に設けられた第１通信装置と、乗場に停止するかごと、かごに設けられた第２通信装置と、制御装置と、を備える。かごは表示器を備える。制御装置は、第１通信装置が通信端末から目的階を示す信号を受信すると、かごを乗場に停止させた後にかごを目的階に停止させる動作制御部と、第２通信装置が通信端末から乗車信号を受信すると、表示器に画像を表示させる表示制御部と、表示器に画像が表示されている時に画像の取得を要求する第１信号を第２通信装置が通信端末から受信すると、通信端末に画像を表示させるための第２信号を第２通信装置から送信させる通信制御部と、を備える。表示制御部は、第２通信装置が第１信号を受信すると、表示器から画像を消す。
【発明の効果】
【００１１】
例えば、この発明に係る表示システムは、通信端末、第１通信装置、かご、第２通信装置及び制御装置を備える。通信端末は第１表示器を備える。かごは第２表示器を備える。通信端末の第１表示制御部は、第１表示器に第１画像を表示させる。第１表示制御部は、かごが乗場に停止する際に第１表示器から第１画像を消す。制御装置の第２表示制御部は、第２通信装置が乗車信号を受信すると、第２表示器に第１画像を表示させる。第２表示制御部は、かごが目的階に停止する際に第２表示器から第１画像を消す。第１表示制御部は、かごが目的階に停止する際に第１表示器に第１画像を表示させる。この発明に係る表示システムであれば、利用者の通信端末に備えられた表示器とエレベーターのかごに備えられた表示器とに同じ画像を表示させることができる。
【図面の簡単な説明】
【００１２】
【図１】この発明の実施の形態１における表示システムの例を示す図である。
【図２】通信端末の例を示す図である。
【図３】制御装置の例を示す図である。
【図４】通信端末の動作例を示すフローチャートである。
【図５】制御装置の動作例を示すフローチャートである。
【図６】かご及び制御装置の他の例を示す図である。
【図７】この発明の実施の形態２における制御装置の動作例を示すフローチャートである。
【図８】利用者の乗車区間及び画像の表示区間の例を示す図である。
【図９】この発明の実施の形態２における制御装置の他の動作例を示すフローチャートである。
【図１０】利用者の乗車区間及び画像の表示区間の例を示す図である。
【図１１】利用者の乗車区間及び画像の表示区間の例を示す図である。
【図１２】この発明の実施の形態３における通信端末の動作例を示すフローチャートである。
【図１３】この発明の実施の形態３における制御装置の動作例を示すフローチャートである。
【図１４】通信端末のハードウェア構成を示す図である。
【図１５】制御装置のハードウェア構成を示す図である。
【発明を実施するための形態】
【００１３】
添付の図面を参照し、本発明を説明する。重複する説明は、適宜簡略化或いは省略する。各図において、同一の符号は同一の部分又は相当する部分を示す。
【００１４】
実施の形態１．
図１は、この発明の実施の形態１における表示システムの例を示す図である。本表示システムは、通信端末１とエレベーター装置とを備える。通信端末１は、例えばエレベーターの利用者が携帯する端末である。通信端末１は、例えばスマートフォンである。通信端末１は、エレベーター装置と通信する専用の端末でも良い。
【００１５】
エレベーター装置は、例えばかご２及びつり合いおもり３を備える。かご２は、昇降路４を上下に移動する。つり合いおもり３は、昇降路４を上下に移動する。かご２及びつり合いおもり３は、主ロープ５によって昇降路４に吊り下げられる。かご２及びつり合いおもり３を吊り下げるためのローピングの方式は、図１に示す例に限定されない。
【００１６】
主ロープ５は、巻上機６の駆動綱車７に巻き掛けられる。駆動綱車７の回転及び停止は、制御装置８によって制御される。制御装置８は、制御ケーブル９によってかご２に接続される。図１は、巻上機６及び制御装置８が機械室１０に設けられる例を示す。巻上機６及び制御装置８は、昇降路４に配置されても良い。駆動綱車７が回転すると、その回転方向に応じた方向に主ロープ５が移動する。主ロープ５が移動する方向に応じて、かご２は上昇或いは下降する。即ち、巻上機６は、かご２を駆動するための装置である。制御装置８は、エレベーターの乗場１１の高さに合わせてかご２を停止させる。
【００１７】
乗場１１は、例えば建物の各階に設けられる。乗場１１に、通信装置１２が設けられる。図１は、かご２が停止する各乗場１１に通信装置１２が設けられる例を示す。かご２が停止する一部の乗場１１にのみ通信装置１２が設けられても良い。通信装置１２は、通信端末１と無線通信を行う。通信装置１２は、制御装置８に接続される。
【００１８】
かご２に、通信装置１３が設けられる。図１は、通信装置１３がかご２の上に配置される例を示す。通信装置１３は、通信端末１と無線通信を行う。通信装置１３は、例えば制御ケーブル９を介して制御装置８に接続される。
【００１９】
図２は、通信端末１の例を示す図である。通信端末１は、例えば表示器２０を備える。通信端末１は、表示器２０の他に、例えば記憶部２１、入力部２２、通信部２３及び表示制御部２４を備える。
【００２０】
通信端末１の所有者は、例えばエレベーターを利用する際に通信端末１を使用する。入力部２２は、通信端末１の所有者が情報を入力するための手段である。通信端末１の所有者は、例えば入力部２２から目的階を入力する。目的階は、通信端末１の所有者がエレベーターを利用して移動したい階である。
【００２１】
通信部２３は、他の機器と無線通信を行う。例えば、通信部２３は、通信装置１２と無線通信する。通信部２３は、通信装置１３と無線通信する。
【００２２】
記憶部２１に、表示器２０に表示させる画像が記憶される。例えば、記憶部２１に、通信端末１の所有者が気に入っているキャラクターの画像が記憶される。記憶部２１に他の画像が記憶されても良い。表示制御部２４は、表示器２０を制御する。例えば、表示制御部２４は、記憶部２１に記憶されているキャラクターの画像を表示器２０に表示させる。
【００２３】
通信端末１は、設定部２５を更に備えても良い。例えば、設定部２５によって設定されたキャラクターの画像が記憶部２１に記憶される。設定部２５は、通信端末１の所有者が独自に作成したキャラクターをお気に入りのキャラクターとして設定しても良い。設定部２５は、外部のデータベースに記憶されている多数のキャラクターの中から所有者が選択したキャラクターをお気に入りのキャラクターとして設定しても良い。
【００２４】
かご２は、例えばドア３０、駆動機３１及び表示器３２を備える。駆動機３１は、ドア３０を駆動する。乗場１１に設けられたドア１４は、ドア３０に連動する。即ち、ドア３０が駆動機３１によって開放されると、ドア１４も開放される。ドア３０が駆動機３１によって閉じられると、ドア１４も閉じられる。駆動機３１は、制御装置８によって制御される。
【００２５】
図３は、制御装置８の例を示す図である。制御装置８は、例えば記憶部４０、呼び登録部４１、動作制御部４２、表示制御部４３及び通信制御部４４を備える。
【００２６】
呼び登録部４１は、呼びを登録する。呼び登録部４１は、例えば乗場呼び及び行先呼びを登録する。動作制御部４２は、各機器の動作を制御する。例えば、動作制御部４２は、巻上機６を制御する。かご２の移動及び停止は、動作制御部４２によって制御される。動作制御部４２は、駆動機３１を制御する。ドア３０及びドア１４の開閉は、動作制御部４２によって制御される。表示制御部４３は、かご２に備えられた表示器３２を制御する。通信制御部４４は、通信装置１２及び通信装置１３を制御する。
【００２７】
以下に、図４及び図５も参照し、本表示システムの機能及び動作について詳細に説明する。図４は、通信端末１の動作例を示すフローチャートである。
【００２８】
通信端末１では、表示制御部２４が、記憶部２１に記憶されているキャラクターの画像を表示器２０に表示させる（Ｓ１０１）。また、通信端末１では、目的階が入力されたか否かが判定される（Ｓ１０２）。通信端末１の所有者は、エレベーターを利用する際に入力部２２から目的階を入力する（Ｓ１０２のＹｅｓ）。入力部２２から目的階が入力されると、通信部２３は呼びの第１登録要求を送信する（Ｓ１０３）。
【００２９】
第１登録要求には、例えば第１登録要求を送信した通信端末１を特定するための信号、目的階を示す信号及び画像を示す信号が含まれる。通信端末１を特定するための信号とは、例えば端末ＩＤである。画像を示す信号とは、記憶部２１に記憶されているキャラクターの画像を特定するための信号である。第１登録要求には、画像を示す信号として例えば画像ＩＤが含まれる。
【００３０】
通信端末１の通信部２３から送信された第１登録要求は、乗場１１に設けられた通信装置１２によって受信される。以下においては、通信端末１の所有者が２階から５階に移動する場合を例に挙げる。かかる場合、通信端末１の所有者は、２階の乗場１１で入力部２２から目的階を入力する。通信部２３から送信された第１登録要求は、２階の乗場１１に設けられた通信装置１２によって受信される。
【００３１】
通信装置１２は、第１登録要求を受信すると、呼びの第２登録要求を制御装置８に送信する。第２登録要求には、例えば第２登録要求を送信した通信装置１２を特定するための信号及び第１登録要求に含まれる信号が含まれる。通信装置１２を特定するための信号とは、例えば通信装置ＩＤである。
【００３２】
図５は、制御装置８の動作例を示すフローチャートである。制御装置８では、第２登録要求を受信したか否かが判定される（Ｓ２０１）。制御装置８では、通信装置１２から第２登録要求を受信すると、受信した内容を記憶部４０に記憶させる（Ｓ２０２）。表１は、Ｓ２０２で記憶部４０に記憶された内容の例を示す。
【００３３】
【表１】
0006562178.tif 000002
【００３４】
呼び登録部４１は、通信装置１２から受信した第２登録要求に基づいて、乗場呼び及び行先呼びを登録する（Ｓ２０３）。乗場呼びは、利用者の乗車階にかご２を移動させるための呼びである。第２登録要求に含まれる信号のうち通信装置１２を特定するための信号から利用者の乗車階を特定することができる。呼び登録部４１は、上記信号に基づいて乗場呼びを登録する。行先呼びは、利用者の乗車階から目的階にかご２を移動させるための呼びである。第２登録要求に含まれる信号のうち目的階を示す信号から利用者の目的階を特定することができる。呼び登録部４１は、上記信号に基づいて行先呼びを登録する。
【００３５】
動作制御部４２は、呼び登録部４１によって登録された呼びにかご２を応答させる。先ず、動作制御部４２は、利用者の乗車階にかご２を移動させる（Ｓ２０４）。表１に示す例であれば、動作制御部４２は、２階の乗場１１にかご２を停止させる。通信制御部４４は、かご２が乗車階に停止する際に、乗車階の乗場１１に設けられた通信装置１２から第１到着信号を送信させる（Ｓ２０５）。表１に示す例であれば、２階の乗場１１に設けられた通信装置１２から第１到着信号が送信される。第１到着信号は、かご２が乗車階に到着すること或いは乗車階に到着したことを示す信号である。第１到着信号が送信されるタイミングは、かご２が乗車階に停止する直前でも良い。第１到着信号が送信されるタイミングは、かご２が乗車階に停止した直後でも良い。
【００３６】
通信端末１では、呼びの第１登録要求が送信された後、第１到着信号を受信したか否かが判定される（Ｓ１０４）。通信端末１が乗車階の乗場１１に存在すれば、Ｓ２０５で通信装置１２から送信された第１到着信号は通信部２３によって受信される。通信部２３が通信装置１２から第１到着信号を受信すると、表示制御部２４は、表示器２０からキャラクターの画像を消す（Ｓ１０５）。即ち、表示制御部２４は、利用者が気に入っているキャラクターの画像が表示器２０に表示されないようにする。この時、表示器２０に他の画像が表示されていても構わない。
【００３７】
制御装置８の動作制御部４２は、かご２を乗車階に停止させると、ドア３０を開放させる。また、制御装置８では、かご２が乗車階に到着すると、通信装置１３が通信端末１から乗車信号を受信したか否かが判定される（Ｓ２０６）。乗車信号は、通信端末１がかご２の中に存在することを示す信号である。例えば、通信制御部４４は、かご２が乗車階に到着すると、通信装置１３からかご２の内部の空間に質問信号を送信させる。通信端末１の通信部２３は、通信装置１３から質問信号を受信すると、その応答信号として乗車信号を通信装置１３に送信する（Ｓ１０６）。乗車信号には、例えば通信端末１を特定するための信号が含まれる。
【００３８】
表示制御部４３は、通信装置１３が通信端末１から乗車信号を受信すると、当該通信端末１の所有者が気に入っているキャラクターの画像を表示器３２に表示させる（Ｓ２０７）。表１に示すように、記憶部４０には、通信端末１の端末ＩＤと画像ＩＤとが紐付けて記憶されている。表示制御部４３は、当該画像ＩＤによって特定される画像をＳ２０７で表示器３２に表示させる。即ち、Ｓ１０５で消されるまで表示器２０に映っていた画像が、Ｓ２０７で表示器３２に映される。これにより、通信端末１の表示器２０に表示されていたキャラクターが、かご２の表示器３２に移ったかのように見せることができる。
【００３９】
動作制御部４２は、通信装置１３が通信端末１から乗車信号を受信すると、ドア３０及びドア１４を閉めた後にかご２を利用者の目的階に移動させる（Ｓ２０８）。表１に示す例であれば、動作制御部４２は、５階の乗場１１にかご２を停止させる。
【００４０】
表示制御部４３は、かご２が目的階に停止する際に、Ｓ２０７で表示させたキャラクターの画像を表示器３２から消す（Ｓ２０９）。即ち、表示制御部４３は、利用者が気に入っているキャラクターの画像が表示器３２に表示されないようにする。この時、表示器３２に他の画像が表示されていても構わない。キャラクターの画像を表示器３２から消すタイミングは、かご２が目的階に停止する直前でも良い。キャラクターの画像を表示器３２から消すタイミングは、かご２が目的階に停止した直後でも良い。
【００４１】
通信制御部４４は、かご２が目的階に停止する際に、通信装置１３から通信端末１に第２到着信号を送信させる（Ｓ２１０）。第２到着信号は、かご２が目的階に到着すること或いは目的階に到着したことを示す信号である。第２到着信号が送信されるタイミングは、かご２が目的階に停止する直前でも良い。第２到着信号が送信されるタイミングは、かご２が目的階に停止した直後でも良い。第２到着信号の送信は、例えばＳ２０９で表示器３２から画像が消された後に行われる。かご２が目的階に到着すると、通信端末１に関する情報が記憶部４０から削除される（Ｓ２１１）。
【００４２】
通信端末１では、Ｓ１０５で表示器２０からキャラクターの画像が消されると、第２到着信号を受信したか否かが判定される（Ｓ１０７）。Ｓ２１０で通信装置１３から送信された第２到着信号は、通信部２３によって受信される。通信部２３が通信装置１３から第２到着信号を受信すると、表示制御部２４は、Ｓ１０５で消したキャラクターの画像を表示器２０に表示させる（Ｓ１０８）。即ち、Ｓ２０９で消されるまで表示器３２に映っていた画像が、Ｓ１０８で表示器２０に映される。これにより、かご２の表示器３２に表示されていたキャラクターが、通信端末１の表示器２０に移ったかのように見せることができる。
【００４３】
本実施の形態に示す例であれば、通信端末１に備えられた表示器２０とかご２に備えられた表示器３２とに同じ画像を表示させることができる。また、本実施の形態に示す例であれば、利用者が、お気に入りのキャラクターと一緒にエレベーターを利用しているかのように演出することができる。
【００４４】
本実施の形態に示す例では、Ｓ２０５で通信装置１２から送信される第１到着信号は、かご２が乗車階に停止する際に、通信端末１の表示器２０からキャラクターの画像を消すためのトリガーとなる信号である。Ｓ１０６で通信端末１から送信される乗車信号は、利用者がかご２に乗る際に、かご２の表示器３２にキャラクターの画像を表示させるためのトリガーとなる信号である。Ｓ２１０で通信装置１３から送信される第２到着信号は、かご２が目的階に停止する際に、通信端末１の表示器２０にキャラクターの画像を再表示させるためのトリガーとなる信号である。
【００４５】
図６は、かご２及び制御装置８の他の例を示す図である。図６は、かご２において利用者が表示器３２に映されているキャラクターと会話を楽しむことができる例を示す。図６に示す例では、かご２は、表示器３２の他に、音声入力装置３３及び音声出力装置３４を備える。制御装置８は、記憶部４０、呼び登録部４１、動作制御部４２、表示制御部４３及び通信制御部４４の他に、音声認識部４５、回答作成部４６及び音声出力制御部４７を更に備える。
【００４６】
音声入力装置３３は、かご２に乗っている人が音声を入力するための装置である。音声入力装置３３は、例えばマイクロホンである。音声認識部４５は、音声入力装置３３から入力された音声信号に基づいて音声認識処理を行う。これにより、かご２に乗っている人が話した内容が特定される。回答作成部４６は、音声認識部４５によって行われた音声認識処理に基づいて、かご２に乗っている人との会話が成立するように回答を作成する。例えば、状況別の回答例が記憶部４０に記憶される。回答作成部４６は、記憶部４０に記憶された回答例の中から最適なものを選択することによって回答を作成しても良い。音声出力制御部４７は音声出力装置３４を制御し、回答作成部４６によって作成された回答を音声出力装置３４から音声出力させる。音声出力装置３４は、例えばスピーカである。
【００４７】
このような会話機能は、例えばＳ２０７で表示器３２に画像が表示されてからＳ２０９でその画像が消されるまで行われる。かご２に乗っている人が話した内容及び音声出力装置３４から音声出力された内容を記憶部４０に記憶させても良い。かかる場合、Ｓ２１０で第２到着信号を通信端末１に送信する際に、記憶部４０に記憶させた上記内容が通信装置１３から通信端末１に送信される。これにより、かご２の中で行われた会話の内容をその後の通信端末１の制御に活用することができる。
【００４８】
実施の形態２．
実施の形態１では、通信端末１の所有者がかご２に乗ってから降りるまでの間、その所有者が気に入っているキャラクターの画像が表示器３２に常に表示される例について説明した。しかし、お気に入りのキャラクターを通信端末１に登録している人の中には、そのキャラクターを他の人に見られたくないと思っている人がいる可能性がある。本実施の形態では、キャラクターの画像を表示器３２から一時的に非表示にできる例について説明する。
【００４９】
本実施の形態における表示システムの例は、図１に示す例と同様である。通信端末１の例は、図２に示す例と同様である。通信端末１は、例えば、表示器２０、記憶部２１、入力部２２、通信部２３及び表示制御部２４を備える。通信端末１は、設定部２５を更に備えても良い。制御装置８の例は、図３に示す例と同様である。制御装置８は、例えば記憶部４０、呼び登録部４１、動作制御部４２、表示制御部４３及び通信制御部４４を備える。
【００５０】
以下に、図４及び図７も参照し、本表示システムの機能及び動作について詳細に説明する。本実施の形態における通信端末１の動作は、図４に示す例と同様である。図７は、この発明の実施の形態２における制御装置８の動作例を示すフローチャートである。図７のＳ３０１からＳ３０６に示す処理は、図５のＳ２０１からＳ２０６に示す処理と同様である。図７のＳ３１２からＳ３１４に示す処理は、図５のＳ２０９からＳ２１１に示す処理と同様である。
【００５１】
通信端末１では、表示制御部２４が、記憶部２１に記憶されているキャラクターの画像を表示器２０に表示させる（Ｓ１０１）。また、通信端末１では、目的階が入力されたか否かが判定される（Ｓ１０２）。通信部２３は、入力部２２から目的階が入力されると、呼びの第１登録要求を送信する（Ｓ１０３）。通信端末１の通信部２３から送信された第１登録要求は、乗場１１に設けられた通信装置１２によって受信される。通信装置１２は、第１登録要求を受信すると、制御装置８に呼びの第２登録要求を送信する。
【００５２】
制御装置８では、第２登録要求を受信したか否かが判定される（Ｓ３０１）。制御装置８では、通信装置１２から第２登録要求を受信すると、受信した内容を記憶部４０に記憶させる（Ｓ３０２）。表２は、記憶部４０に記憶された内容の例を示す。表２は、複数の通信端末１から第１登録要求が送信された例を示す。
【表２】
0006562178.tif 000003
【００５３】
呼び登録部４１は、通信装置１２から受信した第２登録要求に基づいて、乗場呼び及び行先呼びを登録する（Ｓ３０３）。動作制御部４２は、呼び登録部４１によって登録された呼びにかご２を応答させる。先ず、端末ＩＤがＡＢＣ１２３である通信端末１の所有者を主体に考える。以下においては、説明を簡略化するため、端末ＩＤがＡＢＣ１２３である通信端末１のことを通信端末１−Ａとも表記する。
【００５４】
動作制御部４２は、利用者の乗車階にかご２を移動させる（Ｓ３０４）。表２に示す例であれば、動作制御部４２は、２階の乗場１１にかご２を停止させる。通信制御部４４は、かご２が乗車階に停止する際に、乗車階の乗場１１に設けられた通信装置１２から第１到着信号を送信させる（Ｓ３０５）。表２に示す例であれば、２階の乗場１１に設けられた通信装置１２から通信端末１−Ａに第１到着信号が送信される。
【００５５】
通信端末１では、呼びの第１登録要求が送信された後、第１到着信号を受信したか否かが判定される（Ｓ１０４）。例えば、通信端末１−Ａは、２階の乗場１１に設けられた通信装置１２から第１到着信号を受信する。通信端末１−Ａでは、通信部２３が通信装置１２から第１到着信号を受信すると、表示制御部２４が表示器２０からキャラクターの画像を消す（Ｓ１０５）。
【００５６】
制御装置８の動作制御部４２は、かご２を乗車階に停止させると、ドア３０を開放させる。また、制御装置８では、かご２が乗車階に到着すると、通信装置１３が通信端末１から乗車信号を受信したか否かが判定される（Ｓ３０６）。例えば、制御装置８では、かご２が２階の乗場１１に停止すると、通信装置１３が通信端末１−Ａから乗車信号を受信したか否かが判定される。通信端末１−Ａの所有者が通信端末１−Ａを持って２階の乗場１１からかご２に入ると、通信装置１３は通信端末１−Ａから乗車信号を受信する。
【００５７】
制御装置８では、通信装置１３が通信端末１から乗車信号を受信すると、かご２に乗っている人の数が１人であるか否かが判定される（Ｓ３０７）。かご２に１人しか乗っていなければ、表示制御部４３は、その利用者が気に入っているキャラクターの画像を表示器３２に表示させる（Ｓ３０８）。例えば、通信端末１−Ａの所有者が２階の乗場１１からかご２に乗る時にかご２内に他の利用者はいない。表示制御部４３は、通信装置１３が通信端末１−Ａから送信された乗車信号を受信すると、画像ＩＤが００１である画像を表示器３２に表示させる。即ち、Ｓ１０５で消されるまで通信端末１−Ａの表示器２０に表示されていたキャラクターの画像がＳ３０８で表示器３２に表示される。
【００５８】
かご２に乗っている人の数が１人ではないとＳ３０７で判定されると、通信端末１の所有者が気に入っているキャラクターの画像は表示器３２に表示されない（Ｓ３１０）。
【００５９】
動作制御部４２は、通信装置１３が通信端末１から乗車信号を受信すると、ドア３０及びドア１４を閉めた後にかご２を利用者の目的階に移動させる。制御装置８では、かご２の移動が開始されると、かご２が目的階に到着したか否かが判定される（Ｓ３１１）。また、制御装置８では、かご２の移動が開始されると、かご２が目的階に停止する前に他の乗場呼びに応答するか否かが判定される（Ｓ３０９）。
【００６０】
表２に示す例では、かご２は、２階の乗場１１を出発した後、目的階である５階に停止する前に他の乗場呼びに応答して３階の乗場１１に停止する（Ｓ３０９のＹｅｓ）。表示制御部４３は、かご２がその乗場呼びに応答する際に、Ｓ３０８で表示させたキャラクターの画像を表示器３２から消す（Ｓ３１０）。即ち、表示制御部４３は、通信端末１−Ａの所有者が気に入っているキャラクターの画像が表示器３２に表示されないようにする。この時、表示器３２に他の画像が表示されていても構わない。キャラクターの画像を表示器３２から消すタイミングは、かご２が他の利用者の乗車階に停止する直前でも良い。キャラクターの画像を表示器３２から消すタイミングは、かご２が他の利用者の乗車階に停止した直後でも良い。
【００６１】
表示制御部４３は、かご２が目的階に到着するまでＳ３０７からＳ３１１に示す処理を繰り返す。例えば、かご２が３階の乗場１１を出発する際にかご２には２人が乗っている（Ｓ３０７のＮｏ）。このため、かご２が３階の乗場１１を出発する際に、画像ＩＤが００１である画像は表示器３２に表示されない（Ｓ３１０）。かご２が４階から５階に移動する間は、かご２に３人が乗っている（Ｓ３０７のＮｏ）。このため、かご２が４階から５階に移動する間も画像ＩＤが００１である画像は表示器３２に表示されない（Ｓ３１０）。
【００６２】
表示制御部４３は、かご２が目的階に停止する際に（Ｓ３１１のＹｅｓ）、Ｓ３０８で表示させた画像が表示器３２にまだ表示されていれば、その画像を表示器３２から消す（Ｓ３１２）。表２に示す例では、かご２が５階に停止する際に、画像ＩＤが００１である画像は表示器３２に表示されていない。このため、表示制御部４３は、当該画像を非表示のままにする。
【００６３】
通信制御部４４は、かご２が目的階に停止する際に、通信装置１３から対象の通信端末１に対して第２到着信号を送信させる（Ｓ３１３）。例えば、通信制御部４４は、かご２が５階に停止する際に、通信装置１３から通信端末１−Ａに第２到着信号を送信させる。第２到着信号の送信は、例えばＳ３１２で表示器３２から画像が消された後に行われる。かご２が目的階に到着すると、通信端末１に関する情報が記憶部４０から削除される（Ｓ３１４）。表２に示す例であれば、かご２が５階に到着すると、通信端末１−Ａに関する情報が記憶部４０から削除される。
【００６４】
図８は、利用者の乗車区間及び画像の表示区間の例を示す図である。図８は、表２に示す呼びにかご２が応答した場合の例を示す。図８に示すように、画像ＩＤが００１である画像は、かご２が２階から３階に移動する間しか表示器３２に表示されない。即ち、かご２に複数人が乗っていると、画像ＩＤが００１である画像は表示器３２に表示されない。
【００６５】
次に、表２に示す例において、端末ＩＤがＧＨＩ７８９である通信端末１の所有者を主体に考える。以下においては、説明を簡略化するため、端末ＩＤがＧＨＩ７８９である通信端末１のことを通信端末１−Ｇとも表記する。同様に、端末ＩＤがＤＥＦ４５６である通信端末１のことを通信端末１−Ｄとも表記する。
【００６６】
通信端末１−Ｇの表示器２０には、画像ＩＤが００３であるキャラクターの画像が表示される（Ｓ１０１）。通信端末１−Ｇの表示器２０に表示されたこの画像は、Ｓ１０４で通信部２３が３階の通信装置１２から第１到着信号を受信すると表示器２０から消される（Ｓ１０５）。かご２が３階の乗場１１に到着した後、通信端末１−Ｇの通信部２３は、通信装置１３に乗車信号を送信する（Ｓ１０６）。
【００６７】
制御装置８では、通信装置１３が通信端末１−Ｇから乗車信号を受信すると、かご２に乗っている人の数が１人であるか否かが判定される（Ｓ３０７）。この時、かご２には２人が乗っている（Ｓ３０７のＮｏ）。このため、画像ＩＤが００３であるキャラクターの画像は表示器３２に表示されない（Ｓ３１０）。
【００６８】
通信端末１−Ａの所有者は、５階でかご２から降りる。通信端末１−Ｄの所有者は、４階でかご２に乗り、７階でかご２から降りる。通信端末１−Ｇの所有者は、目的階である１０階にかご２が停止する前に、かご２が７階を出発する際に１人になる（Ｓ３０７のＹｅｓ）。このため、表示制御部４３は、かご２が７階を出発する際に、画像ＩＤが００３であるキャラクターの画像を表示器３２に表示させる（Ｓ３０８）。画像ＩＤが００３であるキャラクターの画像は、かご２が７階から１０階に移動する間、表示器３２に表示される。
【００６９】
表示制御部４３は、かご２が目的階である１０階に停止する際に、画像ＩＤが００３である画像を表示器３２から消す（Ｓ３１２）。この時、表示器３２に他の画像が表示されていても構わない。キャラクターの画像を表示器３２から消すタイミングは、かご２が目的階に停止する直前でも良い。キャラクターの画像を表示器３２から消すタイミングは、かご２が目的階に停止した直後でも良い。通信制御部４４は、かご２が目的階である１０階に停止する際に、通信装置１３から通信端末１−Ｇに第２到着信号を送信させる（Ｓ３１３）。かご２が１０階に到着すると、通信端末１−Ｇに関する情報が記憶部４０から削除される（Ｓ３１４）。
【００７０】
通信端末１では、Ｓ１０５で表示器２０からキャラクターの画像が消されると、第２到着信号を受信したか否かが判定される（Ｓ１０７）。Ｓ３１３で通信装置１３から送信された第２到着信号は、対象の通信端末１の通信部２３によって受信される。通信部２３が通信装置１３から第２到着信号を受信すると、表示制御部２４は、Ｓ１０５で消したキャラクターの画像を表示器２０に表示させる（Ｓ１０８）。
【００７１】
本実施の形態に示す例では、かご２が目的階に停止する前に他の乗場呼びに応答すると、表示器３２からキャラクターの画像が消される。即ち、表示制御部４３は、かご２に１人しか乗っていない場合のみ、その人が気に入っているキャラクターの画像を表示器３２に表示させる。このため、通信端末１の所有者は、自分が気に入っている画像を他人に見られる恐れがない。
【００７２】
図９は、この発明の実施の形態２における制御装置８の他の動作例を示すフローチャートである。図９のＳ４０１からＳ４０６に示す処理は、図５のＳ２０１からＳ２０６に示す処理と同様である。図９のＳ４１４からＳ４１６に示す処理は、図５のＳ２０９からＳ２１１に示す処理と同様である。図１０は、利用者の乗車区間及び画像の表示区間の例を示す図である。図７及び図８は、かご２に複数人が乗っている場合は、表示器３２にキャラクターの画像を表示させない例を示す。図９及び図１０は、かご２に複数人が乗っている場合は、表示器３２に他のキャラクターの画像を表示させる例を示す。
【００７３】
図９及び図１０に示す例では、通信端末１の記憶部２１に少なくとも２つの画像が記憶される。例えば、記憶部２１に、第１画像と第２画像とが記憶される。例えば、第１画像は、通信端末１の所有者が気に入っている第１キャラクターの画像である。第２画像は、第１画像とは異なる画像である。例えば、第２画像は、通信端末１の所有者が他の人に見られても構わないと考えている第２キャラクターの画像である。以下に、図４等も参照し、本表示システムの機能及び動作について詳細に説明する。
【００７４】
通信端末１では、表示制御部２４が、記憶部２１に記憶されている第１キャラクターの画像を表示器２０に表示させる（Ｓ１０１）。また、通信端末１では、目的階が入力されたか否かが判定される（Ｓ１０２）。通信部２３は、入力部２２から目的階が入力されると、呼びの第１登録要求を送信する（Ｓ１０３）。
【００７５】
第１登録要求には、例えば第１登録要求を送信した通信端末１を特定するための信号、目的階を示す信号、第１画像を示す信号及び第２画像を示す信号が含まれる。第１画像を示す信号とは、例えば第１画像ＩＤである。第２画像を示す信号とは、例えば第２画像ＩＤである。
【００７６】
通信端末１の通信部２３から送信された第１登録要求は、乗場１１に設けられた通信装置１２によって受信される。通信装置１２は、第１登録要求を受信すると、制御装置８に呼びの第２登録要求を送信する。
【００７７】
制御装置８では、第２登録要求を受信したか否かが判定される（Ｓ４０１）。制御装置８では、通信装置１２から第２登録要求を受信すると、受信した内容を記憶部４０に記憶させる（Ｓ４０２）。表３は、記憶部４０に記憶された内容の例を示す。表３は、複数の通信端末１から第１登録要求が送信された例を示す。表３に示す例は、表２に示す例に第２画像ＩＤを追加したものに相当する。
【表３】
0006562178.tif 000004
【００７８】
呼び登録部４１は、通信装置１２から受信した第２登録要求に基づいて、乗場呼び及び行先呼びを登録する（Ｓ４０３）。動作制御部４２は、呼び登録部４１によって登録された呼びにかご２を応答させる。先ず、通信端末１−Ａの所有者を主体に考える。
【００７９】
動作制御部４２は、利用者の乗車階にかご２を移動させる（Ｓ４０４）。表３に示す例であれば、動作制御部４２は、２階の乗場１１にかご２を停止させる。通信制御部４４は、かご２が乗車階に停止する際に、乗車階の乗場１１に設けられた通信装置１２から第１到着信号を送信させる（Ｓ４０５）。表３に示す例であれば、２階の乗場１１に設けられた通信装置１２から通信端末１−Ａに第１到着信号が送信される。
【００８０】
通信端末１では、呼びの第１登録要求が送信された後、第１到着信号を受信したか否かが判定される（Ｓ１０４）。例えば、通信端末１−Ａは、２階の乗場１１に設けられた通信装置１２から第１到着信号を受信する。通信端末１−Ａでは、通信部２３が通信装置１２から第１到着信号を受信すると、表示制御部２４が表示器２０から第１キャラクターの画像を消す（Ｓ１０５）。
【００８１】
制御装置８の動作制御部４２は、かご２を乗車階に停止させると、ドア３０を開放させる。また、制御装置８では、かご２が乗車階に到着すると、通信装置１３が通信端末１から乗車信号を受信したか否かが判定される（Ｓ４０６）。例えば、制御装置８では、かご２が２階の乗場１１に停止すると、通信装置１３が通信端末１−Ａから乗車信号を受信したか否かが判定される。通信端末１−Ａの所有者が通信端末１−Ａを持って２階の乗場１１からかご２に入ると、通信装置１３は通信端末１−Ａから乗車信号を受信する。
【００８２】
制御装置８では、通信装置１３が通信端末１から乗車信号を受信すると、かご２に乗っている人の数が１人であるか否かが判定される（Ｓ４０７）。かご２に１人しか乗っていなければ、表示制御部４３は、その利用者が登録した第１キャラクターの画像を表示器３２に表示させる（Ｓ４０９）。なお、通信端末１の所有者がかご２に乗った直後は表示器３２に第２キャラクターの画像は表示されていないため、Ｓ４０８の処理はスキップされる。
【００８３】
例えば、通信端末１−Ａの所有者が２階の乗場１１からかご２に乗る時にかご２内に他の利用者はいない。表示制御部４３は、通信装置１３が通信端末１−Ａから送信された乗車信号を受信すると、画像ＩＤが００１である画像を表示器３２に表示させる。即ち、Ｓ１０５で消されるまで通信端末１−Ａの表示器２０に表示されていた第１キャラクターの画像がＳ４０９で表示器３２に表示される。この時、画像ＩＤが０１１である画像は表示器３２に表示されない。
【００８４】
かご２に乗っている人の数が１人ではないとＳ４０７で判定されると、表示制御部４３は、利用者が登録した第２キャラクターの画像を表示器３２に表示させる（Ｓ４１２）。なお、通信端末１の所有者がかご２に乗った直後は表示器３２に第１キャラクターの画像は表示されていないため、Ｓ４１１の処理はスキップされる。
【００８５】
動作制御部４２は、通信装置１３が通信端末１から乗車信号を受信すると、ドア３０及びドア１４を閉めた後にかご２を利用者の目的階に移動させる。制御装置８では、かご２の移動が開始されると、かご２が目的階に到着したか否かが判定される（Ｓ４１３）。また、制御装置８では、かご２の移動が開始されると、かご２が目的階に停止する前に他の乗場呼びに応答するか否かが判定される（Ｓ４１０）。
【００８６】
表３に示す例では、かご２は、２階の乗場１１を出発した後、目的階である５階に停止する前に他の乗場呼びに応答して３階の乗場１１に停止する（Ｓ４１０のＹｅｓ）。表示制御部４３は、かご２がその乗場呼びに応答する際に、Ｓ４０９で表示させた第１キャラクターの画像を表示器３２から消す（Ｓ４１１）。即ち、表示制御部４３は、画像ＩＤが００１である画像が表示器３２に表示されないようにする。また、表示制御部４３は、Ｓ４１１で表示器３２から第１キャラクターの画像を消すと、第２キャラクターの画像を表示器３２に表示させる（Ｓ４１２）。即ち、表示制御部４３は、画像ＩＤが０１１である画像を表示器３２に表示させる。Ｓ４１１及びＳ４１２で画像を切り換えるタイミングは、かご２が他の利用者の乗車階に停止する直前でも良い。上記タイミングは、かご２が他の利用者の乗車階に停止した直後でも良い。
【００８７】
表示制御部４３は、かご２が目的階に到着するまでＳ４０７からＳ４１３の処理を繰り返す。例えば、かご２が３階の乗場１１を出発する際にかご２には２人が乗っている（Ｓ４０７のＮｏ）。このため、かご２が３階の乗場１１を出発する際に、画像ＩＤが００１である画像は表示器３２に表示されない（Ｓ４１１）。表示器３２には、画像ＩＤが０１１である画像が表示される（Ｓ４１２）。かご２が４階から５階に移動する間は、かご２に３人が乗っている（Ｓ４０７のＮｏ）。このため、かご２が４階から５階に移動する間も画像ＩＤが００１である画像は表示器３２に表示されない（Ｓ４１１）。表示器３２には、画像ＩＤが０１１である画像が表示される（Ｓ４１２）。
【００８８】
表示制御部４３は、かご２が目的階に停止する際に（Ｓ４１３のＹｅｓ）、表示器３２からキャラクターの画像を消す（Ｓ４１４）。表３に示す例では、かご２が５階に停止する際に、画像ＩＤが０１１である画像が表示器３２に表示されている。このため、表示制御部４３は、当該画像を表示器３２から消す。表示制御部４３は、かご２が５階に停止する際に、画像ＩＤが００１である画像が表示器３２に表示されていればその画像を消す。
【００８９】
通信制御部４４は、かご２が目的階に停止する際に、通信装置１３から対象の通信端末１に対して第２到着信号を送信させる（Ｓ４１５）。例えば、通信制御部４４は、かご２が５階に停止する際に、通信装置１３から通信端末１−Ａに第２到着信号を送信させる。第２到着信号の送信は、例えばＳ４１４で表示器３２から画像が消去された後に行われる。かご２が目的階に到着すると、通信端末１に関する情報が記憶部４０から削除される（Ｓ４１６）。表３に示す例であれば、かご２が５階に到着すると、通信端末１−Ａに関する情報が記憶部４０から削除される。
【００９０】
図１０は、表３に示す呼びにかご２が応答した場合の例を示す。図１０に示すように、かご２が２階から３階に移動する間は、画像ＩＤが００１である画像が表示器３２に表示される。かご２が３階から７階に移動する間はかご２に複数人が乗っているため、表示器３２には第２キャラクターの画像が表示される（Ｓ４１２）。例えば、かご２が３階から４階に移動する間は、画像ＩＤが０１１である画像及び０１３である画像が表示器３２に表示される。かご２が４階から５階に移動する間は、画像ＩＤが０１１である画像、０１２である画像及び０１３である画像が表示器３２に表示される。かご２が５階から７階に移動する間は、画像ＩＤが０１２である画像及び０１３である画像が表示器３２に表示される。
【００９１】
通信端末１−Ｇの所有者は、目的階である１０階にかご２が停止する前に、かご２が７階を出発する際にかご２内で１人になる（Ｓ４０７のＹｅｓ）。このため、表示制御部４３は、かご２が７階を出発する際に、画像ＩＤが０１３である画像を表示器３２から消す（Ｓ４０８）。表示制御部４３は、かご２が７階を出発する際に、画像ＩＤが００３である画像を表示器３２に表示させる（Ｓ４０９）。
【００９２】
表示制御部４３は、かご２が１０階に停止する際に、画像ＩＤが００３である画像を表示器３２から消す（Ｓ４１４）。通信制御部４４は、かご２が１０階に停止する際に、通信装置１３から通信端末１−Ｇに第２到着信号を送信させる（Ｓ４１５）。かご２が１０階に到着すると、通信端末１−Ｇに関する情報が記憶部４０から削除される（Ｓ４１６）。
【００９３】
通信端末１では、Ｓ１０５で表示器２０から第１キャラクターの画像が消されると、第２到着信号を受信したか否かが判定される（Ｓ１０７）。Ｓ４１５で通信装置１３から送信された第２到着信号は、対象の通信端末１の通信部２３によって受信される。通信部２３が通信装置１３から第２到着信号を受信すると、表示制御部２４は、Ｓ１０５で消した第１キャラクターの画像を表示器２０に表示させる（Ｓ１０８）。
【００９４】
図９及び図１０に示す例では、かご２が目的階に停止する前に他の乗場呼びに応答すると、表示器３２から第１キャラクターの画像が消され、第２キャラクターの画像が表示器３２に表示される。即ち、表示制御部４３は、かご２に１人しか乗っていない場合のみ、その人が気に入っている第１キャラクターの画像を表示器３２に表示させる。表示制御部４３は、かご２に複数人が乗っていれば、第２キャラクターの画像を表示器３２に表示させる。このため、通信端末１の所有者は、自分が気に入っている画像を他人に見られる恐れがない。
【００９５】
図９に示す例では、表示器３２に表示する第２キャラクターの数に上限を設けても良い。図１１は、利用者の乗車区間及び画像の表示区間の例を示す図である。図１１は、表示器３２に最大で２つの第２キャラクターしか表示させない例を示す。例えば、通信端末１−Ｄの所有者が４階の乗場１１からかご２に乗る時に、表示器３２には、画像ＩＤが０１１である画像と０１３である画像とが既に表示されている。このため、通信端末１−Ｄの所有者がかご２に乗っても、画像ＩＤが０１２である画像は表示器３２に表示されない。通信端末１−Ａの所有者が５階でかご２から降りると、画像ＩＤが０１２である画像が表示器３２に表示される。
【００９６】
図１１は、かご２に先に乗った人の第２キャラクターが表示器３２に優先的に表示される例を示す。これは一例である。他の例として、乗車区間が短い人が設定した第２キャラクターを表示器３２に優先的に表示しても良い。かかる場合、例えば、かご２が４階から５階を移動する間は、画像ＩＤが０１１である画像と０１２である画像とが表示器３２に表示される。
【００９７】
本実施の形態で具体的に開示しない機能及び動作については、実施の形態１で開示された何れの機能及び動作を採用しても良い。例えば、制御装置８は、音声認識部４５、回答作成部４６及び音声出力制御部４７を更に備えても良い。
【００９８】
実施の形態３．
本実施の形態では、利用者が、表示器３２に表示されているキャラクターの画像を自分の通信端末１に取り込むことができる例について説明する。本実施の形態における表示システムの例は、図１に示す例と同様である。通信端末１の例は、図２に示す例と同様である。通信端末１は、例えば、表示器２０、記憶部２１、入力部２２、通信部２３及び表示制御部２４を備える。制御装置８の例は、図３に示す例と同様である。制御装置８は、例えば記憶部４０、呼び登録部４１、動作制御部４２、表示制御部４３及び通信制御部４４を備える。
【００９９】
以下に、図１２及び図１３も参照し、本表示システムの機能及び動作について詳細に説明する。図１２は、この発明の実施の形態３における通信端末１の動作例を示すフローチャートである。
【０１００】
通信端末１では、目的階が入力されたか否かが判定される（Ｓ５０１）。通信端末１の所有者は、エレベーターを利用する際に入力部２２から目的階を入力する（Ｓ５０１のＹｅｓ）。入力部２２から目的階が入力されると、通信部２３は呼びの第１登録要求を送信する（Ｓ５０２）。本実施の形態に示す例では、第１登録要求に、例えば第１登録要求を送信した通信端末１を特定するための信号及び目的階を示す信号が含まれる。
【０１０１】
通信端末１の通信部２３から送信された第１登録要求は、乗場１１に設けられた通信装置１２によって受信される。以下においては、通信端末１の所有者が２階から５階に移動する場合を例に挙げる。かかる場合、通信端末１の所有者は、２階の乗場１１で入力部２２から目的階を入力する。通信部２３から送信された第１登録要求は、２階の乗場１１に設けられた通信装置１２によって受信される。
【０１０２】
通信装置１２は、第１登録要求を受信すると、呼びの第２登録要求を制御装置８に送信する。第２登録要求には、例えば第２登録要求を送信した通信装置１２を特定するための信号及び第１登録要求に含まれる信号が含まれる。
【０１０３】
図１３は、この発明の実施の形態３における制御装置８の動作例を示すフローチャートである。制御装置８では、第２登録要求を受信したか否かが判定される（Ｓ６０１）。制御装置８では、通信装置１２から第２登録要求を受信すると、受信した内容を記憶部４０に記憶させる（Ｓ６０２）。呼び登録部４１は、通信装置１２から受信した第２登録要求に基づいて、乗場呼び及び行先呼びを登録する（Ｓ６０３）。
【０１０４】
動作制御部４２は、呼び登録部４１によって登録された呼びにかご２を応答させる。先ず、動作制御部４２は、利用者の乗車階にかご２を移動させる（Ｓ６０４）。例えば、動作制御部４２は、２階の乗場１１にかご２を停止させる。本実施の形態に示す例では、通信制御部４４は、かご２が乗車階に停止する際に、乗車階の乗場１１に設けられた通信装置１２から第１到着信号を送信させても良い。通信装置１２から第１到着信号が送信される場合、通信端末１では、第１到着信号を受信するとかご２が乗車階に到着することが報知される。
【０１０５】
動作制御部４２は、かご２を乗車階に停止させると、ドア３０を開放させる。また、制御装置８では、かご２が乗車階に到着すると、通信装置１３が通信端末１から乗車信号を受信したか否かが判定される（Ｓ６０５）。例えば、通信制御部４４は、かご２が乗車階に到着すると、通信装置１３からかご２の内部の空間に質問信号を送信させる。通信端末１の通信部２３は、通信装置１３から質問信号を受信すると、その応答信号として乗車信号を通信装置１３に送信する（Ｓ５０３）。
【０１０６】
制御装置８の記憶部４０には、キャラクターの画像が予め登録される。記憶部４０に画像が記憶されるキャラクターは、独自に作成されたキャラクターでも良い。他の例として、エレベーター装置が設置されている市等が公認するキャラクターでも良い。野球或いはサッカー等のプロチームが公認するキャラクターでも良い。表示制御部４３は、通信装置１３が通信端末１から乗車信号を受信すると、記憶部４０に記憶されているキャラクターの画像を表示器３２に表示させる（Ｓ６０６）。
【０１０７】
通信端末１では、乗車信号が送信された後、画像を取得するための入力が行われたか否かが判定される（Ｓ５０４）。通信端末１の所有者は、表示器３２に表示されている画像を手に入れたいと思えば、入力部２２を操作することによって画像取得のための入力を行う（Ｓ５０４のＹｅｓ）。通信部２３は、画像取得のための入力が行われると、画像取得要求を送信する（Ｓ５０５）。画像取得要求は、画像の取得を要求するための信号である。画像取得要求には、例えば画像取得要求を送信した通信端末１を特定するための信号及び取得したい画像を示す信号が含まれる。
【０１０８】
動作制御部４２は、通信装置１３が通信端末１から乗車信号を受信すると、ドア３０及びドア１４を閉めた後にかご２を利用者の目的階に移動させる。制御装置８では、かご２の移動が開始されると、かご２が目的階に到着したか否かが判定される（Ｓ６１０）。また、制御装置８では、記憶部４０に記憶されているキャラクターの画像が表示器３２に表示されると、かご２が目的階に停止する前に画像取得要求が受信されたか否かが判定される（Ｓ６０７）。
【０１０９】
通信端末１の通信部２３から送信された画像取得要求は、通信装置１３によって受信される（Ｓ６０７のＹｅｓ）。通信制御部４４は、表示器３２にキャラクターの画像が表示されている時に通信装置１３が画像取得要求を受信すると、その画像取得要求を送信してきた通信端末１に対し、通信装置１３から応答信号を送信させる。応答信号は、通信端末１の表示器２０に対象の画像を表示させるための信号である。応答信号には、例えば対象の画像を示す信号が含まれる（Ｓ６０８）。表示制御部４３は、画像取得要求が受信されると、対象の画像を表示器３２から消す（Ｓ６０９）。Ｓ６０９の処理は、Ｓ６０８の処理より先に行われても良い。
【０１１０】
通信端末１では、画像取得要求が送信された後、通信装置１３から応答信号を受信したか否かが判定される（Ｓ５０６）。通信装置１３からの応答信号は、通信部２３によって受信される。通信端末１では、通信部２３が応答信号を受信すると、表示制御部２４が表示器２０に対象の画像を表示させる（Ｓ５０７）。これにより、かご２の表示器３２に表示されていたキャラクターが、通信端末１の表示器２０に移ったかのように見せることができる。
【０１１１】
表示制御部４３は、かご２が目的階に停止する際に（Ｓ６１０のＹｅｓ）、Ｓ６０６で表示させた画像が表示器３２にまだ表示されていれば、その画像を表示器３２から消す（Ｓ６１１）。制御装置８では、かご２が目的階に到着すると、通信端末１に関する情報が記憶部４０から削除される。
【０１１２】
本実施の形態に示す例であれば、表示器３２に表示されているキャラクターの画像を、通信端末１からの操作によって通信端末１に取り込むことができる。例えば、実施の形態１及び２に開示した例を実現するためには、利用者が所有する通信端末１に専用のアプリケーションをインストールしてもらう必要がある。アプリケーションのインストールを促すために、本実施の形態に示す例のようにエレベーター側で用意したキャラクターの画像を通信端末１に取り込むことができることを、エレベーターの利用者に伝えても良い。
【０１１３】
符号２１〜２５に示す各部は、通信端末１が有する機能を示す。図１４は、通信端末１のハードウェア構成を示す図である。通信端末１は、ハードウェア資源として、例えばプロセッサ１５とメモリ１６とを含む処理回路を備える。記憶部２１が有する機能はメモリ１６によって実現される。通信端末１は、メモリ１６に記憶されたプログラムをプロセッサ１５によって実行することにより、符号２２〜２５に示す各部の機能を実現する。
【０１１４】
符号４０〜４７に示す各部は、制御装置８が有する機能を示す。図１５は、制御装置８のハードウェア構成を示す図である。制御装置８は、ハードウェア資源として、例えばプロセッサ１７とメモリ１８とを含む処理回路を備える。記憶部４０が有する機能はメモリ１８によって実現される。制御装置８は、メモリ１８に記憶されたプログラムをプロセッサ１７によって実行することにより、符号４１〜４７に示す各部の機能を実現する。
【０１１５】
プロセッサ１５及び１７は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ或いはＤＳＰともいわれる。メモリ１６及び１８として、半導体メモリ、磁気ディスク、フレキシブルディスク、光ディスク、コンパクトディスク、ミニディスク或いはＤＶＤを採用しても良い。採用可能な半導体メモリには、ＲＡＭ、ＲＯＭ、フラッシュメモリ、ＥＰＲＯＭ及びＥＥＰＲＯＭ等が含まれる。
【０１１６】
通信端末１が有する各機能の一部又は全部をハードウェアによって実現しても良い。通信端末１の機能を実現するハードウェアとして、単一回路、複合回路、プログラム化したプロセッサ、並列プログラム化したプロセッサ、ＡＳＩＣ、ＦＰＧＡ、又はこれらの組み合わせを採用しても良い。
【０１１７】
制御装置８が有する各機能の一部又は全部をハードウェアによって実現しても良い。制御装置８の機能を実現するハードウェアとして、単一回路、複合回路、プログラム化したプロセッサ、並列プログラム化したプロセッサ、ＡＳＩＣ、ＦＰＧＡ、又はこれらの組み合わせを採用しても良い。実施の形態１〜３では、符号４０〜４７に示す各機能を機械室１０に備える例を示した。これは一例である。制御装置８が有する機能の一部又は全部を他の場所に備えても良い。例えば、制御装置８が有する機能の一部又は全部を昇降路４に配置しても良い。制御装置８が有する機能の一部又は全部をかご２の上等に配置しても良い。
【産業上の利用可能性】
【０１１８】
この発明に係る表示システムは、かごに表示器が備えられたエレベーターで利用できる。
【符号の説明】
【０１１９】
１  通信端末、  ２  かご、  ３  つり合いおもり、  ４  昇降路、  ５  主ロープ、  ６  巻上機、  ７  駆動綱車、  ８  制御装置、  ９  制御ケーブル、  １０  機械室、  １１  乗場、  １２  通信装置、  １３  通信装置、  １４  ドア、  １５  プロセッサ、  １６  メモリ、  １７  プロセッサ、  １８  メモリ
２０  表示器、  ２１  記憶部、  ２２  入力部、  ２３  通信部、  ２４  表示制御部、  ２５  設定部
３０  ドア、  ３１  駆動機、  ３２  表示器、  ３３  音声入力装置、  ３４  音声出力装置
４０  記憶部、  ４１  呼び登録部、  ４２  動作制御部、  ４３  表示制御部、  ４４  通信制御部、  ４５  音声認識部、  ４６  回答作成部、  ４７  音声出力制御部
【図１】
0006562178.tif 000005
【図２】
0006562178.tif 000006
【図３】
0006562178.tif 000007
【図４】
0006562178.tif 000008
【図５】
0006562178.tif 000009
【図６】
0006562178.tif 000010
【図７】
0006562178.tif 000011
【図８】
0006562178.tif 000012
【図９】
0006562178.tif 000013
【図１０】
0006562178.tif 000014
【図１１】
0006562178.tif 000015
【図１２】
0006562178.tif 000016
【図１３】
0006562178.tif 000017
【図１４】
0006562178.tif 000018
【図１５】
0006562178.tif 000019